(57)【要約】      （修正有）【課題】  シックハウス症候群の一因と云われるホルムアルデヒドを分解すると共に、消臭と芳香の相反する両機能に優れた有効性を発揮する造花等繊維製品を提供する。【解決手段】  植物の葉緑体が作る緑の香り成分のうちの青葉アルコールや青葉アルデヒドなどの抽出液を単独もしくは２種、または２種以上を混合し、さらに希釈して造花をはじめとする繊維製品他、紙・木製品に効果目的に応じて混合の比率を変えて繊維基材や紙・木基材に塗布もしくは繊維基材原料に含有させる。【選択図】      図１
2005299066.tif 000002
【特許請求の範囲】
【請求項１】
植物の葉緑体が作る緑の香り成分抽出液を造花の花・葉部の表裏面に塗布する造花等繊維製品
【請求項２】
植物の葉緑体が作る緑の香り成分抽出液を布帛など繊維の表面に塗布する造花等繊維製品。
【請求項３】
植物の葉緑体が作る緑の香り成分抽出液を糸など繊維に含有させた造花等繊維製品。
【請求項４】
植物の葉緑体が作る緑の香り成分抽出液を基材表面に塗布もしくは含浸させた紙・木製品。
【発明の詳細な説明】
【技術分野】
【０００１】  本発明は、植物の葉緑体が作る緑の香り成分のうちの青葉アルコールや青葉アルデヒドなどの抽出液を単独もしくは２種、または２種以上を調整混合し、さらに希釈剤で希釈して造花をはじめとする繊維製品他、紙・木製品に効果目的に応じて混合の比率を変えて繊維基材上や紙・木基材上に塗布もしくは繊維基材原料に含有して、環境改善、病気予防に役立つ繊維製品他等に関するものである。
【背景技術】
【０００２】  平成１５年７月１日の建築基準法の改正以後、シックハウス対策の優れた製品も多く上市されていますが、シックハウス症候群と同時に、現代の社会環境下では疲労感やストレス、うつ病なども大きな問題となっています。そこで色々な香りを利用した癒しとして代表的なアロマテラピーなどが流行っています。しかし芳香性の強い成分や香りの種類によっては好き嫌いがあり、嫌いな人には逆効果になるなど学術的に立証されにくいことも事実です。今後、森林の効用が人間に及ぼす影響についての解明や癒治療法などへの利用の研究など植物の力が注目される傾向です。
【発明が解決しようとする課題】
【０００３】  第７９回・第８０回日本生理学会大会や第４１回日本生気象学会大会などの発表で、ストレス応答に対する緑の香りの作用などが公開されていますが、本発明は、公開のストレスを鎮める効果の他に、植物の葉緑体が作る緑の香り成分は単独もしくは２種、または２種以上をほとんど無臭の感じるかの閾値レベルで、緑の香り抽出液と希釈剤の混合の比率によっては、今までと違う効果機能があることを発見し、さらに詳しくは、近年大きな社会問題となっているシックハウス症候群の一因と云われるホルムアルデヒドが分解できることを見出し、さらに別の混合比率では高齢者の加齢臭を低減することをも見出し、消臭と芳香の相反する両機能に優れた有効性を発揮する成分が緑の香りの八成分のうちの数種にあることを見出し本発明に至った。
【課題を解決するための手段】
【０００４】  本発明の第１は、造花の花・葉部（イ）の表裏面に植物の葉緑体が作る緑の香り成分の青葉アルコール（Ａ）と青葉アルデヒド（Ｂ）の混合液（ＡＢ）をｔｒｉｅｔｈｙｌ  ｃｉｔｒａｔｅ（Ｃ）で希釈した混合液（ＡＢＣ）を塗布する造花等繊維製品。本発明の第２は、布帛、糸などの表面に前記載（ＡＢＣ）を塗布する造花等繊維製品。本発明の第３は、繊維、糸を原料段階で前記載（ＡＢ）もしくは前記載（ＡＢＣ）をシリカゲル（Ｄ）他に含有、含浸させて、各種繊維素材のマスターバッチに前記載（ＡＢ）もしくは前記載（ＡＢＣ）を含浸させた（Ｄ）他が０．０１〜１０重量％になるように調整作製して公知の溶融紡糸法で紡糸して布帛他の各種繊維製品とする。さらに繊維の断面形状は制限されず、例えば丸形、異形であってもよく、複合繊維であってもよい。本発明の第４は、基材表面に前記載（ＡＢＣ）を塗布する紙、木製品。
【０００５】  本発明は、植物の葉緑素が作る緑の香り成分を単独もしくは２種、または２種以上を用いることを特徴とする。また繊維製品等の基材上に塗布または基材に含有してなることを特徴とする。
【０００６】  本発明に用いる緑の香り成分としては、公知の八成分のうち青葉アルコールと青葉アルデヒドが好ましい。また稀釈剤としてはシトロネロール、シトラール他、制限されるものではないが、本発明は、ｔｒｉｅｔｈｙｌ  ｃｉｔｒａｔｅ（ＴＥＣ）が好ましい希釈剤として使用する。青葉アルコールと青葉アルデヒドの混合液は希釈剤に対して０．００１〜３重量％程度が好ましく、臭わないレベルで用いる。
【０００７】  本発明は、シリカゲル、ケイ酸塩、ケイ酸カルシウム他の多孔質無機物に香りの成分抽出液を単独もしくは２種、または２種以上を含浸させる、もしくはマイクロカプセルに内添させて溶液にして用いて芳香機能を長く持続させることもより好ましい。
【０００８】  本発明の造花等繊維製品は、基材、素材、形状、製法、製品など特に制限されるものではなく、上市品に施してもよい。塗布する方法は、スプレー、ディッピング、刷毛塗り、静電塗装、ロールコーティング、プリントなどの方法から適宜施せばよい。
【発明を実施するための最良の形態】
【０００９】  造花の花葉部の表裏面に、青葉アルコールと青葉アルデヒドをｔｒｉｅｔｈｙｌ  ｃｉｔｒａｔｅで希釈した混合液（ＡＢＣ）をスプレー法で塗布して自然乾燥させたところ、風合いは、未加工製品と変わりないことが確認できた。さらに素焼きの鉢や内部の軽石などの付属品にも前記載（ＡＢＣ）を塗布すると多孔質のために含浸性がよく用量も多くなり芳香性としては長期保持することが可能になった。【００１０】  カーテン生地を青葉アルコールと青葉アルデヒドをｔｒｉｅｔｈｙｌ  ｃｉｔｒａｔｅで希釈した混合液（ＡＢＣ）にディッピングして陰干し乾燥させた。風合いには変化は見られなかった。またタッセル、芯材などの付属品、縫製資材にも塗布して用いたところ前項と同じように芳香性保持にはよいことが判った。【００１１】  緑の香り成分を使用して、繊維、糸、綿、布帛などに形成する本発明の繊維製品の代表例として肌着、セーター、ジャケット、パジャマ、浴衣、白衣、スラックス、マフラー、靴下、手袋、ストッキング、エプロン、マスク、タオル、ハンカチ、風呂敷、サポーター、ヘッドバンド、帽子、芯地、ブラインド、電気製品カバー、ふとんのカバー・中綿、毛布、シーツ、枕、枕カバー、ベッド・ベッドカバー、衛生材料、便座カバー、空気清浄機・エアコンのフィルター、エアコンカバー、クッション、縫いぐるみ、車輌シート・シートカバー・車内装材、造花、カーテン、ロールスクリーン、障子、襖、壁紙、テーブルクロス、タペストリー、各種カーペット、マット、スリッパ、アコンカバー、洋服カバー、作業着、いす張り生地、パーテーション・間仕切りなどを挙げることができる。また紙、木製品として、各種装身具、玩具、クラフト製品、装飾置物、床材、壁材、天井材、扉、建具、家具などはじめ住宅資材や内外装材、室内装飾資材などを挙げることができる。
【実施例】
【００１２】  造花の花葉部の表裏面に、例えば青葉アルコール０．１％と青葉アルデヒド０．１５％をｔｒｉｅｔｈｙｌ  ｃｉｔｒａｔｅ９９．７５重量％で希釈した混合液（ＡＢＣ）をスプレー法で塗布して自然乾燥させた葉部での、ホルムアルデヒドの消臭試験結果を数値−１に示します。
［数値−１］
〈測定結果〉    初期濃度（ｐｐｍ）  ６時間後        １２時間後    （試料）
サンプルＡ      ７５                ４５            １５        加工の葉
サンプルＢ      ７５                ６０            ５０        未加工の葉
〈試験方法〉：２個の３００ｍＬのガラス容器に、ホルムアルデヒドガスを各７５ｐｐｍを注入、１つのガラス容器に塗布加工葉４枚を１つのガラス容器には未加工葉４枚を入れる。静置後６時間と１２時間後のガス濃度を検知管により測定した。【００１３】  カーテンを青葉アルコール０．８％と青葉アルデヒド０．２％をｔｒｉｅｔｈｙｌ  ｃｉｔｒａｔｅ９９％で希釈した混合液（ＡＢＣ）にディッピングして陰干し乾燥させた。通常のカーテンでは臭っていた加齢臭の部屋に該カーテンを取り付けて、５日後に同じ１０名に感応してもらいほとんど悪臭が無くなっていることが確認できた。【００１４】  紙製のクラフト置物に混合液（ＡＢＣ）をスプレー法で塗布し、木製置物には混合液（ＡＢＣ）にディッピングしたところ、どちらも吸水性がよく、用量が多く含浸するために優れた芳香性で大きな分解低減効果が期待できる。
【発明の効果】
【００１５】  本発明によって、日常生活で風呂に入る以外は、人は常に繊維製品を身につけているか生活空間でも身近に接しています。また紙、木製品も身の回りに多くあります。このことは、近年の気密な住空間、高齢化、慌ただしい環境では、生活臭を低減して尚かつ、リラックス癒しの効果を有効な応用品で、消臭と芳香の相反する機能で改善できれば画期的なこととなります。すでに青葉アルコールと青葉アルデヒドを希釈した混合液をラットに嗅がせた結果、ストレスを鎮める効果があることは公開済みですが、このことと本発明との効果を考慮すると環境、健康に優れた機能効果が得られる無二の製品群が提供できます。
【図面の簡単な説明】
【図１】本発明の造花等繊維製品の造花の葉部の一部拡大断面図
【図２】本発明の造花等繊維製品の糸に含有の一部拡大断面図
【符号の説明】
（イ）造花の花・葉部    （Ａ）青葉アルコール    （Ｂ）青葉アルデヒド    （ＡＢ）Ａ、Ｂの混合液    （Ｃ）ｔｒｉｅｔｈｙｌ  ｃｉｔｒａｔｅ    （ＡＢＣ）Ａ、Ｂ、Ｃの混合液    （Ｄ）シリカゲル
【図１】
2005299066.tif 000003
【図２】
2005299066.tif 000004